(57)【要約】【課題】各ユーザに適した設定情報を保存する。【解決手段】再生システム１は、サーバ装置２と、サーバ装置２からコンテンツデータを読み出して再生する複数のクライアント装置３ａ，３ｂ，３ｃとがイーサネットＮを介して接続されて構成されている。クライアント装置３ａ，３ｂ，３ｃにおいて設定された設定情報は、着脱可能に装着されたメモリカードに格納される。クライアント装置３ａ，３ｂ，３ｃに設定情報が格納されたメモリカードが装着されている間は、メモリカードに格納された設定情報に基づいて、クライアント装置３ａ，３ｂ，３ｃの動作制御が行われる。【選択図】図１
2007243560.tif 000002
【特許請求の範囲】
【請求項１】
各種コンテンツデータを再生可能な複数のクライアント装置がネットワークを介して接続された再生システムにおいて、
前記各クライアント装置は、当該クライアント装置において設定された設定情報を当該クライアント装置に着脱可能に装着された記憶媒体に格納する制御部を備えたことを特徴とする再生システム。
【請求項２】
前記複数のクライアント装置のうちいずれかのクライアント装置に前記設定情報が格納されている記憶媒体が装着された場合に、当該クライアント装置の制御部は、当該記憶媒体に格納されている設定情報に基づいて当該クライアント装置の動作制御を行うことを特徴とする請求項１に記載の再生システム。
【請求項３】
前記クライアント装置の制御部は、前記記憶媒体に格納されている設定情報に基づいて当該クライアント装置の動作制御を行っている途中で当該記憶媒体が外された場合に、当該クライアント装置において予め定められている設定情報に基づいて当該クライアント装置の動作制御を行うことを特徴とする請求項２に記載の再生システム。
【請求項４】
前記各クライアント装置の制御部は、当該クライアント装置において設定された設定情報を当該クライアント装置に備えられた記憶部に格納することを特徴とする請求項１に記載の再生システム。
【発明の詳細な説明】
【技術分野】
【０００１】
本発明は、再生システムに関する。
【背景技術】
【０００２】
従来、音楽や映像等のコンテンツデータを格納したサーバ装置と、このサーバ装置とネットワークを介して接続された複数のクライアント装置と、からなる再生システムが利用されている。各クライアント装置は、サーバ装置からコンテンツデータを読み出して再生することができる。
【０００３】
例えば、端末からサーバへ識別情報を送信し、識別情報に対応するオーディオデータを配信するオーディオ配信システムが提案されている（特許文献１参照）。
【特許文献１】特開２００４−１４５０５５号公報
【発明の開示】
【発明が解決しようとする課題】
【０００４】
ところで、従来の再生システムでは、あるクライアント装置において視聴レベルや音響設定等の設定を行った場合、他のクライアント装置には反映されないため、ユーザはクライアント装置毎に自分の好みに適した設定を行わなければならなかった。
【０００５】
また、１台のクライアント装置を複数のユーザで使用する場合には、使用する毎に設定を変更しなければならなかった。クライアント装置が複数の設定を記憶可能な機種の場合にも、各ユーザ用の設定を呼び出さなければならなかった。
【０００６】
本発明は、上記の従来技術における問題に鑑みてなされたものであって、各ユーザに適した設定情報を保存することを課題とする。
【課題を解決するための手段】
【０００７】
上記課題を解決するために、請求項１に記載の発明は、各種コンテンツデータを再生可能な複数のクライアント装置がネットワークを介して接続された再生システムにおいて、前記各クライアント装置は、当該クライアント装置において設定された設定情報を当該クライアント装置に着脱可能に装着された記憶媒体に格納する制御部を備えたことを特徴とする。
【０００８】
請求項２に記載の発明は、請求項１に記載の再生システムにおいて、前記複数のクライアント装置のうちいずれかのクライアント装置に前記設定情報が格納されている記憶媒体が装着された場合に、当該クライアント装置の制御部は、当該記憶媒体に格納されている設定情報に基づいて当該クライアント装置の動作制御を行うことを特徴とする。
【０００９】
請求項３に記載の発明は、請求項２に記載の再生システムにおいて、前記クライアント装置の制御部は、前記記憶媒体に格納されている設定情報に基づいて当該クライアント装置の動作制御を行っている途中で当該記憶媒体が外された場合に、当該クライアント装置において予め定められている設定情報に基づいて当該クライアント装置の動作制御を行うことを特徴とする。
【００１０】
請求項４に記載の発明は、請求項１に記載の再生システムにおいて、前記各クライアント装置の制御部は、当該クライアント装置において設定された設定情報を当該クライアント装置に備えられた記憶部に格納することを特徴とする。
【発明の効果】
【００１１】
本発明によれば、クライアント装置に着脱可能に装着された記憶媒体に、クライアント装置において設定された設定情報を格納するため、各ユーザに適した設定情報を保存することができる。したがって、設定を行ったクライアント装置だけでなく、別のクライアント装置においても、各ユーザに適した設定での利用が可能となる。
【発明を実施するための最良の形態】
【００１２】
以下、本発明の実施の形態における再生システム１について説明する。
図１に、再生システム１の概略構成を示す。図１に示すように、再生システム１は、サーバ装置２と、複数のクライアント装置３ａ，３ｂ，３ｃとがイーサネット（登録商標）（Ethernet（登録商標））Ｎを介して接続されて構成されている。図１では、１台のサーバ装置２に、３台のクライアント装置３ａ，３ｂ，３ｃが接続されている例を示すが、クライアント装置の数はいくつであってもよい。
【００１３】
サーバ装置２は、複数のコンテンツデータを記憶する記憶部（図示せず）を備える。コンテンツデータには、音楽等の音声データ、動画や静止画等の映像データ等が含まれる。
【００１４】
クライアント装置３ａ，３ｂ，３ｃは、それぞれ別の部屋に設置されており、再生対象のコンテンツデータをサーバ装置２から読み出して再生する。
【００１５】
図２に、クライアント装置３ａの機能的構成を示す。図２に示すように、クライアント装置３ａは、マイクロコンピュータ４、操作部５、不揮発性メモリ６、イーサネットコントローラ７、デコーダ８、ＤＡＣ（Digital Analog Converter）９、表示部１０、スピーカ１１、データバッファ用メモリ１２、メモリコントローラ１３、カードスロット１４を備える。
【００１６】
マイクロコンピュータ４は、図示しないＣＰＵ（Central Processing Unit）、ＲＯＭ（Read Only Memory）、ＲＡＭ（Random Access Memory）を備え、クライアント装置３ａの各部の処理動作を統括的に制御する。ＲＯＭには、クライアント装置３ａを制御するための主制御プログラムや、このプログラムに係る各種アプリケーションプログラムが格納され、ＲＡＭには、これら各種プログラムの実行ファイルやその実行に際して生じる各種データ等が一時的に格納される。
【００１７】
操作部５は、電源キー等の各種操作キーや操作ダイアル等を備え、これら操作キーや操作ダイアルが操作されると、操作信号をマイクロコンピュータ４に出力する。
【００１８】
不揮発性メモリ６は、クライアント装置３ａに関する各種データを記憶する。
【００１９】
イーサネットコントローラ７は、イーサネットＮを介したサーバ装置２との通信を制御する。
【００２０】
デコーダ８は、サーバ装置２から受信したコンテンツデータをデコード処理する。
【００２１】
ＤＡＣ９は、デジタルデータである音声データや映像データをアナログデータに変換し、表示部１０又はスピーカ１１に出力する。
【００２２】
表示部１０は、ＬＣＤ（Liquid Crystal Display）等の表示装置を有し、ＤＡＣ９から出力された映像データや、各種操作画面データ等を表示する。
【００２３】
スピーカ１１は、ＤＡＣ９によりアナログデータに変換された音声データを音声として出力する。
【００２４】
データバッファ用メモリ１２は、コンテンツデータを一時的に記憶するメモリである。
【００２５】
メモリコントローラ１３は、カードスロット１４に着脱可能に装着されるメモリカード１５に対するデータの書込み及び読出しを制御する。
【００２６】
メモリカード１５は、各種データを記憶する記憶媒体であり、ユーザ毎に所有される。メモリカード１５には、クライアント装置３ａにおいて設定されたオーディオ設定、表示設定、ネットワーク設定、プレイリスト設定、視聴レベル設定、リジューム情報等の設定情報が格納される。
【００２７】
オーディオ設定には、ボリューム設定、スピーカ設定（本数、各レベル）、イコライザ設定、ＤＳＰ（Digital Signal Processor）設定、サラウンド設定、入力レベル設定、デジタル入力設定、音声設定（言語）等が含まれる。
【００２８】
表示設定には、言語設定、画像アスペクト比、解像度等のグラフィック出力、輝度やコントラスト等の画質設定、スクリーンセイバー等が含まれる。
【００２９】
ネットワーク設定には、ＩＰアドレス、ＩＰアドレス自動取得、サブネットマスク、デフォルトゲートウェイ、ＤＮＳサーバ等が含まれる。プレイリスト設定には、ソート内容、ベストヒット、表示方法、お気に入り等が含まれる。視聴レベル設定には、パレンタルレベル等が含まれる。
【００３０】
リジューム情報には、再生途中で一時停止した際の再生中のコンテンツデータを示すファイル情報及び停止位置情報等が含まれる。
【００３１】
マイクロコンピュータ４は、クライアント装置３ａにおいて設定された設定情報を、カードスロット１４に装着されたメモリカード１５に格納する。
【００３２】
また、マイクロコンピュータ４は、設定情報が格納されているメモリカード１５がカードスロット１４に装着された場合に、メモリカード１５に格納されている設定情報に基づいてクライアント装置３ａの動作制御を行う。
【００３３】
また、マイクロコンピュータ４は、メモリカード１５に格納されている設定情報に基づいてクライアント装置３ａの動作制御を行っている途中でメモリカード１５がカードスロット１４から外された場合に、クライアント装置３ａにおいて予め定められている設定情報に基づいてクライアント装置３ａの動作制御を行う。
【００３４】
また、マイクロコンピュータ４は、ユーザの指示に基づいて、クライアント装置３ａにおいて設定された設定情報を不揮発性メモリ６に格納する。
【００３５】
クライアント装置３ｂ，３ｃは、クライアント装置３ａと同様の構成であるため、同一の構成部分については同一の符号を付し、説明を省略する。
【００３６】
次に、クライアント装置３ａの動作について説明する。
図３は、クライアント装置３ａの電源ＯＦＦ時に実行される処理を示すフローチャートである。
【００３７】
まず、操作部５の電源キーから電源ＯＦＦの命令があると（ステップＳ１）、クライアント装置３ａにおいて設定に変更があったか否かが判断される（ステップＳ２）。
【００３８】
クライアント装置３ａにおいて設定に変更があった場合には（ステップＳ２；Ｙｅｓ）、カードスロット１４にメモリカード１５が装着されているか否かが判断される（ステップＳ３）。カードスロット１４にメモリカード１５が装着されていない場合には（ステップＳ３；Ｎｏ）、表示部１０にメモリカード１５の装着を促すメッセージが表示され（ステップＳ４）、カードスロット１４にメモリカード１５が装着されたか否かが判断される（ステップＳ５）。
【００３９】
ステップＳ３においてカードスロット１４にメモリカード１５が装着されている場合（ステップＳ３；Ｙｅｓ）、又は、ステップＳ５においてカードスロット１４にメモリカード１５が装着された場合には（ステップＳ５；Ｙｅｓ）、クライアント装置３ａの設定情報が、装着されたメモリカード１５に書き込まれる（ステップＳ６）。
【００４０】
ステップＳ６の後、又は、ステップＳ５においてカードスロット１４にメモリカード１５が装着されない場合には（ステップＳ５；Ｎｏ）、表示部１０に、設定情報をクライアント装置３ａ本体に書き込むか否かの選択を促すメッセージが表示され（ステップＳ７）、操作部５からの操作により、Ｙｅｓ又はＮｏが入力される（ステップＳ８）。
【００４１】
Ｙｅｓが入力された場合には（ステップＳ９；Ｙｅｓ）、クライアント装置３ａの設定情報が、クライアント装置３ａ本体の不揮発性メモリ６に書き込まれる（ステップＳ１０）。
【００４２】
ステップＳ１０の後、又は、ステップＳ８においてＮｏが入力された場合（ステップＳ９；Ｎｏ）、又は、ステップＳ２においてクライアント装置３ａの設定に変更がない場合には（ステップＳ２；Ｎｏ）、クライアント装置３ａの電源がＯＦＦされ（ステップＳ１１）、処理が終了する。
【００４３】
クライアント装置３ｂ，３ｃにおいても、電源ＯＦＦ時に同様の処理が行われる。
【００４４】
このように、再生システム１によれば、クライアント装置３ａ，３ｂ，３ｃにおいて設定に変更があった場合に、設定情報をメモリカード１５に格納するので、各ユーザが設定した設定情報を保存することができる。
【００４５】
次に、図４を参照して、クライアント装置３ａの電源ＯＮ時に実行される処理を説明する。
【００４６】
まず、操作部５の電源キーから電源ＯＮの命令があると（ステップＳ２１）、クライアント装置３ａの電源がＯＮされ（ステップＳ２２）、カードスロット１４にメモリカード１５が装着されているか否かが判断される（ステップＳ２３）。
【００４７】
カードスロット１４にメモリカード１５が装着されている場合には（ステップＳ２３；Ｙｅｓ）、メモリカード１５のデータが読み出され（ステップＳ２４）、設定情報が格納されているか否かが判断される（ステップＳ２５）。
【００４８】
メモリカード１５に設定情報が格納されている場合には（ステップＳ２５；Ｙｅｓ）、読み出した設定情報に基づいて、クライアント装置３ａの設定が変更される（ステップＳ２６）。そして、メモリカード１５から読み出した設定情報に基づいて、クライアント装置３ａの動作制御が行われる。
【００４９】
ステップＳ２３においてカードスロット１４にメモリカード１５が装着されていない場合（ステップＳ２３；Ｎｏ）、又は、ステップＳ２５においてメモリカード１５に設定情報が格納されていない場合には（ステップＳ２５；Ｎｏ）、クライアント装置３ａ本体の不揮発性メモリ６から設定情報が読み出され（ステップＳ２７）、クライアント装置３ａにおいて予め定められている設定情報に基づいてクライアント装置３ａの動作制御が行われる。
【００５０】
クライアント装置３ｂ，３ｃにおいても、電源ＯＮ時に同様の処理が行われる。
【００５１】
このように、再生システム１によれば、クライアント装置３ａ，３ｂ，３ｃのうちいずれかのクライアント装置で設定され、メモリカード１５に格納されている設定情報を、他のクライアント装置に反映させることができる。また、クライアント装置３ａ，３ｂ，３ｃを複数のユーザで使用する場合でも、各ユーザ用の設定がメモリカード１５に記憶されているので、簡単に各ユーザに適した設定を再現することができる。また、メモリカード１５が装着されていない場合には、クライアント装置３ａ，３ｂ，３ｃ本体の不揮発性メモリ６に格納されている設定情報を使用することができる。
【００５２】
次に、図５を参照して、クライアント装置３ａが電源ＯＮの状態で、メモリカード１５がカードスロット１４に装着された場合の処理について説明する。
【００５３】
まず、カードスロット１４にメモリカード１５が装着されると（ステップＳ３１）、装着されたメモリカード１５のデータが読み出され（ステップＳ３２）、設定情報が格納されているか否かが判断される（ステップＳ３３）。
【００５４】
メモリカード１５に設定情報が格納されている場合には（ステップＳ３３；Ｙｅｓ）、読み出した設定情報に基づいて、クライアント装置３ａの設定が変更される（ステップＳ３４）。そして、メモリカード１５から読み出した設定情報に基づいて、クライアント装置３ａの動作制御が行われる。
【００５５】
ステップＳ３３においてメモリカード１５に設定情報が格納されていない場合には（ステップＳ３３；Ｎｏ）、現状の設定が継続される。
【００５６】
クライアント装置３ｂ，３ｃにおいても、電源ＯＮの状態で、メモリカード１５がカードスロット１４に装着された場合には、同様の処理が行われる。
【００５７】
次に、図６を参照して、クライアント装置３ａが電源ＯＮの状態で、メモリカード１５がカードスロット１４から外された場合の処理について説明する。
【００５８】
まず、カードスロット１４からメモリカード１５が外されると（ステップＳ４１）、クライアント装置３ａがメモリカード１５の設定情報に基づく設定であったか否かが判断される（ステップＳ４２）。
【００５９】
クライアント装置３ａがメモリカード１５の設定情報に基づく設定であった場合には（ステップＳ４２；Ｙｅｓ）、クライアント装置３ａ本体の不揮発性メモリ６から設定情報が読み出され（ステップＳ４３）、クライアント装置３ａにおいて予め定められている設定情報に基づいてクライアント装置３ａの動作制御が行われる。
【００６０】
ステップＳ４２においてクライアント装置３ａがメモリカード１５の設定情報に基づく設定でなかった場合には（ステップＳ４２；Ｎｏ）、現状の設定が継続される。
【００６１】
クライアント装置３ｂ，３ｃにおいても、電源ＯＮの状態で、メモリカード１５がカードスロット１４から外された場合には、同様の処理が行われる。
【００６２】
このように、再生システム１によれば、カードスロット１４にメモリカード１５が装着されている間だけ、メモリカード１５に格納されている設定情報に基づいてクライアント装置３ａ，３ｂ，３ｃの動作制御を行うことができる。
【００６３】
以上説明したように、再生システム１によれば、クライアント装置３ａ，３ｂ，３ｃにおいて設定された設定情報をメモリカード１５に格納するので、各ユーザに適した設定情報を保存することができる。したがって、設定を行ったクライアント装置だけでなく、別のクライアント装置においても、各ユーザに適した設定での利用が可能となる。
【００６４】
なお、上記実施の形態における記述は、本発明に係る再生システムの例であり、これに限定されるものではない。システムを構成する各装置の細部構成及び細部動作に関しても本発明の趣旨を逸脱することのない範囲で適宜変更可能である。
【００６５】
例えば、上記実施の形態では、着脱可能な記憶媒体としてメモリカード１５を使用する場合について説明したが、記憶媒体としては、カード型のメモリに限らず、ＵＳＢメモリ等の記憶媒体であってもよい。
【００６６】
また、設定情報は、コンテンツデータの種類毎に複数設定可能としてもよい。例えば、映画を見る場合と音楽を聴く場合とで異なる設定にしたり、映画においてもアクション、コメディ等で設定を変更したりすることとしてもよい。
【図面の簡単な説明】
【００６７】
【図１】本発明の実施の形態における再生システム１の概略構成図である。
【図２】クライアント装置３ａの機能的構成を示すブロック図である。
【図３】クライアント装置３ａの電源ＯＦＦ時に実行される処理を示すフローチャートである。
【図４】クライアント装置３ａの電源ＯＮ時に実行される処理を示すフローチャートである。
【図５】クライアント装置３ａが電源ＯＮの状態で、メモリカード１５がカードスロット１４に装着された場合の処理を示すフローチャートである。
【図６】クライアント装置３ａが電源ＯＮの状態で、メモリカード１５がカードスロット１４から外された場合の処理を示すフローチャートである。
【符号の説明】
【００６８】
１  再生システム
２  サーバ装置
３ａ，３ｂ，３ｃ  クライアント装置
４  マイクロコンピュータ
５  操作部
６  不揮発性メモリ
７  イーサネットコントローラ
８  デコーダ
９  ＤＡＣ
１０  表示部
１１  スピーカ
１２  データバッファ用メモリ
１３  メモリコントローラ
１４  カードスロット
１５  メモリカード
Ｎ  イーサネット
【図１】
2007243560.tif 000003
【図２】
2007243560.tif 000004
【図３】
2007243560.tif 000005
【図４】
2007243560.tif 000006
【図５】
2007243560.tif 000007
【図６】
2007243560.tif 000008